(57)【要約】【課題】コンパクト化を図りつつ、表示パネルに表示されている画像を鑑賞する上で有利であり、かつ、操作部材の操作性を確保する上で有利な撮像装置を提供する。【解決手段】カメラ本体部用筐体１２Ａと表示部用筐体１２Ｂが第１の形態にある場合には、筐体１２の外形が最小となりコンパクトな状態となっており、かつ、表示部用筐体１２Ｂの後面１２０４のほぼ全域に表示パネル１８が延在した状態となっている。撮像装置１０を第２の形態のうちの第３の形態にすると、表示パネル１８の側方にカメラ本体部用筐体１２Ａの後面１２０６部分が露出し、表示パネル１８の側方にズーム操作スイッチ２００６、記録／再生切り換えスイッチ２００８、メニュースイッチ２０１０、バックキー２０１２、十字操作キー２０１４が出現する。撮像装置１０を第２の形態のうちの第４の形態にすると、前記の操作部材に加え文字入力キー２０１６が出現する。【選択図】図２
2007158799.tif 000002
【特許請求の範囲】
【請求項１】
撮像素子および被写体像を前記撮像素子に導く撮影光学系とを有するカメラ本体部と、前記撮像素子で撮像された画像を表示する表示パネルを有する表示部とを備えた撮像装置であって、
前記カメラ本体部と前記表示部は、前記カメラ本体部の撮影光学系が開口された面の反対側の面と、前記表示部の前記表示パネルが配置された面の反対側の面とが対向する状態で前記カメラ本体部および前記表示部がそれらの面に沿って相対的に移動できるように結合され、
前記カメラ本体および前記表示部の相対的な移動により、前記カメラ本体部および前記表示部の対向する面が最も大きくなる第１の形態と、前記対向する面が前記第１の形態よりも小さくなる第２の形態とが形成され、
前記表示部の前記表示パネルが配置された面はほぼ全域にわたって前記表示パネルが配置され、
前記カメラ本体部の撮影光学系が開口された面の反対側の面には、ユーザの入力を受ける付ける操作手段が配置され、
前記第１の形態において、前記撮像装置の前記撮影光学系が開口された面の反対側の面はほぼ全面が前記表示部により形成されて前記操作手段が前記表示部により隠蔽され、前記第２の形態において前記操作手段が露出される、
ことを特徴とする撮像装置。
【請求項２】
前記操作手段は、被写体を撮像する条件を設定するための操作を受け付けることを特徴とする請求項１記載の撮像装置。
【請求項３】
前記カメラ本体および前記表示部の相対的な移動により前記第１の形態および前記第２の形態が選択されることに応じて、該装置に記録された画像を再生する再生モードと、被写体を撮像する撮影モードとを切り換える制御手段を更に有することを特徴とする請求項１記載の撮像装置。
【請求項４】
前記第１の形態において前記再生モードが設定され、前記第２の形態において前記撮影モードが設定されることを特徴とする請求項３記載の撮像装置。
【請求項５】
前記撮像装置は厚さとこの厚さよりも大きな寸法の高さおよび左右幅を有し、
前記カメラ本体部と前記表示部は前記撮像装置が前記厚さ方向に分割されて構成され、
前記撮像装置の筐体は、前記カメラ本体部の筐体を構成するカメラ本体部用筐体と、前記表示部の筐体を構成する表示部用筐体とを備え、
前記カメラ本体部の撮影光学系が開口された面は前記カメラ本体部の前面であり、前記表示部の表示パネルが配置された面は前記表示部の後面であり、
前記カメラ本体部の後面と前記表示部の前面が対向している、
ことを特徴とする請求項１記載の撮像装置。
【請求項６】
前記表示部用筐体は前記表示部の後面において、前記表示パネルの上下の縁を押さえる細幅で左右に延在する上下の辺と、前記表示パネルの左右の縁を押さえる細幅で上下に延在する左右の辺を備えている、
ことを特徴とする請求項５記載の撮像装置。
【請求項７】
前記第２の形態において前記カメラ本体部の後面の箇所が露出し、この露出した箇所に前記操作手段が配置され、前記開口は、前記カメラ本体部の前面の中央よりも前記第２の形態において露出する前記カメラ本体部の後面の箇所から離れる方向に偏位して設けられていることを特徴とする請求項５記載の撮像装置。
【請求項８】
前記カメラ本体部用筐体と前記表示部用筐体は、それぞれ厚さとこの厚さよりも大きな寸法の高さと、高さよりも大きな寸法の左右幅を有する左右に横長の矩形状を呈し、前記第１の形態と前記第２の形態との間で前記カメラ本体部用筐体と前記表示部用筐体は左右方向に相対的に移動し、前記第２の形態において前記表示部用筐体から露出する前記カメラ本体部用筐体の後面箇所は、前記カメラ本体部用筐体の後面の２つの短辺のうちの一方の短辺に沿った部分であることを特徴とする請求項５記載の撮像装置。
【請求項９】
前記カメラ本体部用筐体と前記表示部用筐体は、それぞれ厚さとこの厚さよりも大きな寸法の高さと、高さよりも大きな寸法の左右幅を有する左右に横長の矩形状を呈し、前記第１の形態と前記第２の形態との間で前記カメラ本体部用筐体と前記表示部用筐体は高さ方向に相対的に移動し、前記第２の形態において前記表示部用筐体から露出する前記カメラ本体部用筐体の後面箇所は、前記カメラ本体部用筐体の後面の２つの長辺のうちの一方の長辺に沿った部分であることを特徴とする請求項５記載の撮像装置。
【請求項１０】
前記カメラ本体部用筐体と前記表示部用筐体は、それぞれ厚さとこの厚さよりも大きな寸法の高さと、高さよりも大きな寸法の左右幅を有する左右に横長の矩形状を呈し、前記第１の形態と前記第２の形態との間で前記カメラ本体部用筐体と前記表示部用筐体は前記矩形の短辺および長辺に対して斜め方向に相対的に移動し、前記第２の形態において前記表示部用筐体から露出する前記カメラ本体部用筐体の後面箇所は、前記カメラ本体部用筐体の後面の２つの短辺のうちの一方の短辺に沿った部分と２つの長辺のうちの一方の長辺に沿った部分の双方で構成されることを特徴とする請求項５記載の撮像装置。
【請求項１１】
前記第２の形態は、前記表示部用筐体から前記カメラ本体部用筐体の後面の第１の箇所が露出する第３の形態と、前記表示部用筐体から前記カメラ本体部用筐体の後面の前記第１の箇所に加え前記第１の箇所と異なる第２の箇所が露出する第４の形態との２つの形態を含んでいることを特徴とする請求項５記載の撮像装置。
【請求項１２】
前記第１の形態と前記第３の形態との間で前記カメラ本体部用筐体と前記表示部用筐体とが相対的に移動する方向と、前記第３の形態と前記第４の形態との間で前記カメラ本体部用筐体と前記表示部用筐体とが相対的に移動する方向は同一の方向であることを特徴とする請求項１１記載の撮像装置。
【請求項１３】
前記第１の形態と前記第３の形態との間で前記カメラ本体部用筐体と前記表示部用筐体とが相対的に移動する方向と、前記第３の形態と前記第４の形態との間で前記カメラ本体部用筐体と前記表示部用筐体とが相対的に移動する方向は互いに交差する方向であることを特徴とする請求項１１記載の撮像装置。
【請求項１４】
前記カメラ本体部用筐体と前記表示部用筐体は、それぞれ厚さとこの厚さよりも大きな寸法の高さと、高さよりも大きな寸法の左右幅を有する左右に横長の矩形状を呈し、前記第３の形態において前記表示部用筐体から露出する前記カメラ本体部用筐体の後面箇所は、前記カメラ本体部用筐体の後面の２つの短辺のうちの一方の短辺に沿った第１の領域であり、前記第４の形態において前記表示部用筐体から露出する前記カメラ本体部用筐体の後面箇所は、前記第１の領域を含む前記第１の領域よりも広い面積の前記一方の短辺に沿った第２の領域であることを特徴とする請求項１１記載の撮像装置。
【請求項１５】
前記カメラ本体部用筐体と前記表示部用筐体は、それぞれ厚さとこの厚さよりも大きな寸法の高さと、高さよりも大きな寸法の左右幅を有する左右に横長の矩形状を呈し、前記第３の形態において前記表示部用筐体から露出する前記カメラ本体部用筐体の後面箇所は、前記カメラ本体部用筐体の後面の２つの短辺のうちの一方の短辺に沿った部分であり、前記第４の形態において前記表示部用筐体から露出する前記カメラ本体部用筐体の後面箇所は、前記一方の短辺に沿った部分と２つの長辺のうちの一方の長辺に沿った部分の双方で構成されることを特徴とする請求項１１記載の撮像装置。
【請求項１６】
前記操作手段は、文字入力を受け付けることを特徴とすることを特徴とする請求項１記載の撮像装置。
【請求項１７】
前記撮像装置は前記撮像素子で撮像された画像の画像データを記録する記憶媒体と、前記画像データの前記記憶媒体に対する記録および前記画像データの前記記録媒体からの再生を制御する制御部と、電源スイッチを有し、
前記制御部は、前記撮像素子で撮像された画像の画像データを前記表示パネルに表示すると共に前記画像データを前記記録媒体に記録する撮影モードと、前記画像データを前記記録媒体から読み出して前記表示パネルに表示する再生モードとの何れかに設定されるように構成され、
前記カメラ本体部または前記表示部の一方に、前記第１の形態であるか前記第２の形態であるかを検出する位置検出部が設けられ、
前記制御部は、前記位置検出部からの位置検出信号に基づいて前記第１の形態であることが検出された状態で前記電源スイッチがオンされた場合に、前記再生モードとなることを特徴とする請求項１記載の撮像装置。
【請求項１８】
前記撮像装置は前記撮像素子で撮像された画像の画像データを記録する記憶媒体と、前記画像データの前記記憶媒体に対する記録および前記画像データの前記記録媒体からの再生を制御する制御部と、電源スイッチを有し、
前記制御部は、前記撮像素子で撮像された画像の画像データを前記表示パネルに表示すると共に前記画像データを前記記録媒体に記録する撮影モードと、前記画像データを前記記録媒体から読み出して前記表示パネルに表示する再生モードとの何れかに設定されるように構成され、
前記カメラ本体部または前記表示部の一方に、前記第１の形態であるか前記第２の形態であるかを検出する位置検出部が設けられ、
前記制御部は、前記位置検出部からの位置検出信号に基づいて前記第１の形態であることが検出された状態で前記電源スイッチがオンされた場合に、前記再生モードとなり、前記位置検出部からの位置検出信号に基づいて前記第２の形態であることが検出された場合に前記撮影モードとなることを特徴とする請求項１記載の撮像装置。
【請求項１９】
前記撮像装置は前記撮像素子で撮像された画像の画像データを記録する記憶媒体と、前記画像データの前記記憶媒体に対する記録および前記画像データの前記記録媒体からの再生を制御する制御部とを有し、
前記制御部は、前記撮像素子で撮像された画像の画像データを前記表示パネルに表示すると共に前記画像データを前記記録媒体に記録する撮影モードと、前記画像データを前記記録媒体から読み出して前記表示パネルに表示する再生モードとの何れかに設定されるように構成され、
前記カメラ本体部または前記表示部の一方に、前記第１の形態であるか前記第２の形態であるかを検出する位置検出部が設けられ、
前記制御部は、前記位置検出部からの位置検出信号に基づいて前記第１の形態であることが検出された場合に前記再生モードとなり、前記位置検出部からの位置検出信号に基づいて前記第２の形態であることが検出された場合に前記撮影モードとなることを特徴とする請求項１記載の撮像装置。
【請求項２０】
前記撮像装置は前記撮像素子で撮像された画像の画像データを記録する記憶媒体と、前記画像データの前記記憶媒体に対する記録および前記画像データの前記記録媒体からの再生を制御する制御部と、電源スイッチを有し、
前記制御部は、前記撮像素子で撮像された画像の画像データを前記表示パネルに表示すると共に前記画像データを前記記録媒体に記録する撮影モードと、前記画像データを前記記録媒体から読み出して前記表示パネルに表示する再生モードと、前記画像データに関連するデータの入力や編集を行う編集モードとの何れかに設定されるように構成され、
前記カメラ本体部または前記表示部の一方に、前記第１の形態であるか前記第３の形態であるか前記第４の形態であるかを検出する位置検出部が設けられ、
前記制御部は、前記位置検出部からの位置検出信号に基づいて前記第１の形態であることが検出された状態で前記電源スイッチがオンされた場合に、前記再生モードとなることを特徴とする請求項１１記載の撮像装置。
【請求項２１】
前記撮像装置は前記撮像素子で撮像された画像の画像データを記録する記憶媒体と、前記画像データの前記記憶媒体に対する記録および前記画像データの前記記録媒体からの再生を制御する制御部とを有し、
前記制御部は、前記撮像素子で撮像された画像の画像データを前記表示パネルに表示すると共に前記画像データを前記記録媒体に記録する撮影モードと、前記画像データを前記記録媒体から読み出して前記表示パネルに表示する再生モードと、前記画像データに関連するデータの入力や編集を行う編集モードとの何れかに設定されるように構成され、
前記カメラ本体部または前記表示部の一方に、前記第１の形態であるか前記第３の形態であるか前記第４の形態であるかを検出する位置検出部が設けられ、
前記制御部は、前記位置検出部からの位置検出信号に基づいて前記第３の形態であることが検出された場合に前記撮影モードとなり、前記位置検出部からの位置検出信号に基づいて前記第４の形態であることが検出された場合に前記編集モードとなることを特徴とする請求項１１記載の撮像装置。
【請求項２２】
前記撮像装置は前記撮像素子で撮像された画像の画像データを記録する記憶媒体と、前記画像データの前記記憶媒体に対する記録および前記画像データの前記記録媒体からの再生を制御する制御部と、電源スイッチを有し、
前記制御部は、前記撮像素子で撮像された画像の画像データを前記表示パネルに表示すると共に前記画像データを前記記録媒体に記録する撮影モードと、前記画像データを前記記録媒体から読み出して前記表示パネルに表示する再生モードと、前記画像データに関連するデータの入力や編集を行う編集モードとの何れかに設定されるように構成され、
前記カメラ本体部または前記表示部の一方に、前記第１の形態であるか前記第３の形態であるか前記第４の形態であるかを検出する位置検出部が設けられ、
前記制御部は、前記位置検出部からの位置検出信号に基づいて前記第１の形態であることが検出された状態で前記電源スイッチがオンされた場合に前記再生モードとなり、前記位置検出部からの位置検出信号に基づいて前記第３の形態であることが検出された場合に前記撮影モードとなり、前記位置検出部からの位置検出信号に基づいて前記第４の形態であることが検出された場合に前記編集モードとなることを特徴とする請求項１１記載の撮像装置。
【発明の詳細な説明】
【技術分野】
【０００１】
本発明は撮像装置に関する。
【背景技術】
【０００２】
デジタルスチルカメラなどの撮像装置は、筐体と、筐体に組み込まれた撮像素子と、筐体に組み込まれ被写体像を前記撮像素子に導く撮影光学系と、撮像素子で撮像された画像を表示する表示パネルと、撮影にまつわる種々の操作部材などを備えている。
そして、撮影光学系は筐体の前面に開口するように設けられ、表示パネルは筐体の後面に設けられている。
撮影を行う場合には、撮像装置を撮影モードにして、表示パネルに表示された画像を見ながら被写体の位置や構図を確認し、シャッターボタンや撮影スタート／ストップボタンなどを操作する。これにより、撮像素子で撮像された静止画あるいは動画の画像データがメモリカードなどの記録媒体に記録される。
一方、撮影した画像データを鑑賞する際には、撮像装置を再生モードにして、所望の画像を選択する操作部材などを操作する。これにより、記録媒体に記録された静止画あるいは動画の画像データが読み出されて表示パネルに表示される（特許文献１参照）。
【０００３】
【特許文献１】特開２００４−２７４４７５号公報
【発明の開示】
【発明が解決しようとする課題】
【０００４】
ところで、近年、この種の撮像装置は小型化される傾向にある。
そして、小型化された撮像装置では筐体の表面の面積が限られており、その限られた筐体の表面に、表示パネルと、各種操作部材との双方を配置しなくてはない。
したがって、筐体の小型化に伴い、表示パネルの面積も小さなものとなり、表示パネルの面積を大きく確保しようとしても限界があり、また、配置する操作部材の数にも限界が生じる。
したがって、表示パネルの見易さを優先して表示パネルの面積を拡大した場合には、配置できる操作部材の数を少なくしなくてはならず操作性が犠牲になってしまう不利があり、また、操作部材の操作性を優先して多くの操作部材を配置した場合には、表示パネルの面積が縮小され見易さが犠牲になってしまう不利がある。
本発明はこのような事情に鑑みなされたもので、その目的は、コンパクト化を図りつつ、表示パネルに表示されている画像を鑑賞する上で有利であり、かつ、操作部材の操作性を確保する上で有利な撮像装置を提供することにある。
【課題を解決するための手段】
【０００５】
上述の目的を達成するため、本発明は、撮像素子および被写体像を前記撮像素子に導く撮影光学系とを有するカメラ本体部と、前記撮像素子で撮像された画像を表示する表示パネルを有する表示部とを備えた撮像装置である。前記カメラ本体部と前記表示部は、前記カメラ本体部の撮影光学系が開口された面の反対側の面と、前記表示部の前記表示パネルが配置された面の反対側の面とが対向する状態で前記カメラ本体部および前記表示部がそれらの面に沿って相対的に移動できるように結合されている。前記カメラ本体および前記表示部の相対的な移動により、前記カメラ本体部および前記表示部の対向する面が最も大きくなる第１の形態と、前記対向する面が前記第１の形態よりも小さくなる第２の形態とが形成される。前記表示部の前記表示パネルが配置された面はほぼ全域にわたって前記表示パネルが配置されている。前記カメラ本体部の撮影光学系が開口された面の反対側の面には、ユーザの入力を受ける付ける操作手段が配置されている。前記第１の形態において、前記撮像装置の前記撮影光学系が開口された面の反対側の面はほぼ全面が前記表示部により形成されて前記操作手段が前記表示部により隠蔽され、前記第２の形態において前記操作手段が露出される。
【発明の効果】
【０００６】
本発明によれば、カメラ本体部と表示部が第１の形態にある場合には、撮像装置の外形がコンパクトな状態となっており、かつ、撮像装置の撮影光学系が開口された面の反対側の面はほぼ全域にわたって表示パネルが位置するので、撮像装置の外形がコンパクトであるにも拘わらず大面積の表示パネルを利用でき、画像を鑑賞する上で、また、画像にまつわる種々の情報を入力する際に有利となる。
また、カメラ本体部と表示部が第２の形態にある場合には、カメラ本体部に設けられた操作手段が露出するので、操作手段の数を確保する上で有利となり、また、それら操作手段を操作するのに適した形態とすることができる。
【発明を実施するための最良の形態】
【０００７】
（第１の実施の形態）
次に本発明の実施の形態について図面を参照して説明する。
図１（Ａ）は第１の実施の形態の撮像装置１０を前方から見た斜視図、（Ｂ）は撮像装置１０を後方から見た斜視図、図２（Ａ）は第３の形態における撮像装置１０を前方から見た斜視図、（Ｂ）は第３の形態における撮像装置１０を後方から見た斜視図、図３（Ａ）は第４の形態における撮像装置１０を前方から見た斜視図、（Ｂ）は第４の形態における撮像装置１０を後方から見た斜視図である。
【０００８】
図１に示すように、本実施の形態の撮像装置１０はデジタルスチルカメラである。
なお、本明細書において左右は、撮像装置１０を前方から見た状態でいうものとし、また、光学系の光軸方向で被写体側を前方といい、撮像素子側を後方という。
撮像装置１０は、筐体１２と、撮影光学系１４と、撮像素子１６（図参照）と、表示パネル１８と、撮影にまつわる種々の操作部材２０などを備えている。
【０００９】
撮像装置１０は、厚さ方向に分割されたカメラ本体部１０Ａと表示部１０Ｂとで構成されている。
カメラ本体部１０Ａと表示部１０Ｂは、共に、厚さと、この厚さよりも大きい寸法の左右幅と、上下高さとを有して薄い矩形板状に形成され、図１（Ａ）、（Ｂ）に示すように、左右幅と上下高さは同一の寸法で形成されている。
筐体１２は、厚さと、この厚さよりも大きい寸法の左右幅と上下高さとを有して薄い矩形板状に形成されている。
そして、筐体１２は、カメラ本体部１０Ａの筐体１２を構成するカメラ本体部用筐体１２Ａと、表示部１０Ｂの筐体１２を構成する表示部用筐体１２Ｂとで構成されている。
カメラ本体部用筐体１２Ａと表示部用筐体１２Ｂは、それぞれ厚さとこの厚さよりも大きな寸法の高さと、高さよりも大きな寸法の左右幅を有する左右に横長の矩形状を呈している。
カメラ本体部用筐体１２Ａは、厚さ方向の両端に前面１２０２および後面１２０６を有し、左右幅方向の両端に左端面１２１０および右端面１２１２を有し、上下高さ方向の両端に上端面１２１４および下端面１２１６を有している。
表示部用筐体１２Ｂは、厚さ方向の両端に前面１２０８および後面１２０４を有し、左右幅方向の両端に左端面１２２０および右端面１２２２を有し、上下高さ方向の両端に上端面１２２４および下端面１２２６を有している。
カメラ本体部用筐体１２Ａと表示部用筐体１２Ｂは、図２に示すように、カメラ本体部用筐体１２Ａの後面１２０６と、表示部用筐体１２Ｂの前面１２０８が合わされている。
【００１０】
図１（Ａ）に示すように、撮影光学系１４は被写体像を撮像素子１６に導くものであり、カメラ本体部用筐体１２Ａの右側上部に設けられている。そして、撮影光学系１４を構成し最も前方に位置する光学部材１４０２（対物レンズ）がカメラ本体部用筐体１２Ａの前面１２０２の右側上部の窓１２０３に臨ませて配設されている。
撮影光学系１４の左側の前面１２０２箇所には、被写体にオートフォーカス用の補助照明を照射するためのＡＦ用ＬＥＤ２２０２と、被写体に撮影用の補助光を照射するフラッシュ２２０４が設けられている。
また、図４に示すように、カメラ本体部用筐体１２Ａには、撮影光学系１４と撮像素子１６が取着された板状の基板２４が組み込まれ、後筐体１２Ｂには表示パネル１８が組み込まれ、基板２４と表示パネル１８とはフレキシブル基板２６によって電気的に接続されている。
【００１１】
次に、撮像装置１０の動作にまつわる操作部材（操作手段）について説明する。
図３（Ｂ）に示すように、撮像装置１０の動作にまつわる操作部材２０としては、例えば、シャッタスイッチ２００２、動画／静止画／音楽モード切り換えスイッチ２００４、ズーム操作スイッチ２００６、記録／再生切り換えスイッチ２００８、メニュースイッチ２０１０、バックキー２０１２、撮影モード切り換えスイッチ２０１３、十字操作キー２０１４、文字入力キー２０１６、電源スイッチ２１００などが挙げられる。
シャッタスイッチ２００２は静止画撮影時に操作されるものある。
ズーム操作スイッチ２００６は撮影光学系１４のズームを望遠側あるいは広角側に変化させる際に操作されるものである。
記録／再生切り換えスイッチ２００８は、撮像装置１０の動作モードを画像の記録を行う撮影モードと、記録されていた画像の再生を行う再生モードとに切り換える際に操作されるものである。
動画／静止画／音楽モード切り換えスイッチ２００４は、前記の記録／再生切り換えスイッチ２００８の操作により撮影モードが設定されている場合には、被写体像を動画形式で撮像する動画モードと、被写体像を静止画形式で撮像する静止画モードとの何れかに切り換える際に操作される。
また、動画／静止画／音楽モード切り換えスイッチ２００４の操作により音楽モードが選択されると、前記の記録／再生切り換えスイッチ２００８によるモード設定とは拘わりなく、記憶媒体１００６（図１０参照）に記録されている音楽ファイルを再生するモードに移行する。
メニュースイッチ２０１０は、後述する表示パネル１８に撮像装置１０に対して種々の操作メニューを表示させ、あるいは、操作メニューの切り換えを行う際に操作されるものである。なお、操作メニューは、例えば、撮像装置１０が実行する動作に関わる種々の設定項目を設定するためのものである。
バックキー２０１２は、表示パネル１８に表示されている操作メニューの表示を以前の表示に戻す際に操作されるものである。
撮影モード切り換えスイッチ２０１３は、撮影する際の撮影モード、例えば、マクロ撮影、スポーツモードなどを切り換える際に操作されるものである。
十字操作キー２０１４は、表示パネル１８に表示されている操作メニューの項目を選択するためのカーソルや反転表示されている部分を互いに直交する４方向に移動させる操作、また、選択した操作メニューの項目を確定（実行）する操作など行う際に操作されるものである。
文字入力キー２０１６は、数字や記号を含む文字を入力するためのものである。具体的には、撮影した画像データに付加するコメントや、後述するようにこの撮像装置１０をインターネットに接続する際のＵＲＬを入力する際に、あるいは、ホームページやブログなどに画像データとともにアップロードする文字データを入力する際に操作されるものである。
電源スイッチ２１００は撮像装置１０の電源をオン、オフする際に操作されるものである。
【００１２】
表示パネル１８は撮像素子１６によって撮像された画像や種々の操作メニューなどを表示するものであり、本実施の形態では、液晶表示装置で形成されている。
本実施の形態では、表示パネル１８の表面を覆うようにタッチパネル２０２０が設けられている。タッチパネル２０２０は操作部材２０の一部を構成するものであり、指で触れることにより、例えば、記録／再生切り換えスイッチ２００８、メニュースイッチ２０１０、バックキー２０１２、十字操作キー２０１４などとほぼ同様の操作が行えるように構成されている。
図１（Ｂ）に示すように、表示パネル１８は、表示部１０Ｂの後面１２０４のほぼ全域にわたって設けられている。
表示部用筐体１２Ｂは表示部１０Ｂの後面１２０４において、表示パネル１８の上下の縁を押さえる細幅で左右に延在する上下の辺１２３０と、表示パネル１８の左右の縁を押さえる細幅で上下に延在する左右の辺１２３２を備えている。
【００１３】
図１に示すように、カメラ本体部用筐体１２Ａと表示部用筐体１２Ｂとが合わさり厚さ方向から見た撮像装置１０の輪郭が最も小さくなる第１の形態と、図２または図３に示すように、表示部用筐体１２Ｂからカメラ本体部用筐体１２Ａの後面１２０６の箇所が露出し厚さ方向から見た撮像装置１０の輪郭が第１の形態よりも大きくなる第２の形態との２つの形態をなすように、カメラ本体部用筐体１２Ａの後面１２０６と表示部用筐体１２Ｂの前面１２０８がそれらの面に沿って相対的に移動できるように結合されている。
図４は撮像装置１０の断面図、図５は図４のＡＡ線矢視図、図６は図４のＢＢ線矢視図、図７は図４のＣＣ線矢視図、図８はガイド板の平面図、図９は図２（Ｂ）のＡ矢視図である。
詳細に説明すると、図４、図５に示すように、カメラ本体部用筐体１２Ａの後面１２０６の左右上下方向の中央箇所には、フレキシブル基板２６を挿通させる溝３０が形成され、また、カメラ本体部用筐体１２Ａの後面１２０６の左右中央の上下部の内面には、ボス部３２が膨出形成され、ボス部３２にピン嵌合孔３４が形成されている。
【００１４】
一方、図６に示すように、表示部用筐体１２Ｂの前面１２０８の左半部で上下方向の中央箇所には、フレキシブル基板２６を挿通させる溝３６が左右に延在形成されている。
また、表示部用筐体１２Ｂの前面１２０８の左半部の上下部には、ピン挿通溝３８が左右に延在形成されている。
さらに、図６乃至図８に示すように、表示部用筐体１２Ｂの前面１２０８の左半部の内面に、表示部用筐体１２Ｂを構成する材料よりも強度、剛性を有する材料からなるガイド板４０が取着されている。
ガイド板４０には、溝３６およびピン挿通溝３８に対応した箇所に溝４２とガイド溝４４が形成されている。
さらに、ガイド溝４４の延在方向（左右方向）に間隔をおいて第１乃至第３突起４６Ａ、４６Ｂ、４６Ｃがガイド溝４４の上下に形成されている。
すなわち、ガイド溝４４の右端部、中間部、左端部の上下部にそれぞれ第１突起４６Ａ、第２突起４６Ｂ、第３突起４６Ｃが形成されている。
【００１５】
図４に示すように、カメラ本体部用筐体１２Ａと表示部用筐体１２Ｂは、それらの後面１２０６と前面１２０８とが合わされ、ガイドピン４８の軸部４８０２がガイド板４０のガイド溝４４から前面１２０８のピン挿通溝３８を通りカメラ本体部用筐体１２Ａのボス部３２のピン嵌合孔３４に嵌合され、ガイドピン４８の頭部４８０４の下面の係合凹部４８０６がガイド板４０の第１乃至第３突起４６Ａ、４６Ｂ、４６Ｃに係合する向きにガイドピン４８の頭部４８０４の向きが調整され、この調整後、接着剤５０によりガイドピン４８がボス部３２に固定される。
これらにより、カメラ本体部用筐体１２Ａの後面１２０６と表示部用筐体１２Ｂの前面１２０８がそれらの面に沿って相対的に移動できるように結合されている。
また、フレキシブル基板２６は、カメラ本体部用筐体１２Ａの後面１２０６の溝３０と、表示部用筐体１２Ｂの前面１２０８の溝３６とを通り、カメラ本体部用筐体１２Ａと表示部用筐体１２Ｂとの間に掛け渡される。
さらに、図７に示すように、ガイドピン４８の頭部４８０４と表示部用筐体１２Ｂの前面１２０８との間にコイルスプリング５２が設けられ、ガイドピン４８をガイド溝４４の端部（右端部）に付勢している。
【００１６】
そして、図７に示すように、ガイドピン４８が、表示部用筐体１２Ｂの左右方向の中央寄りに位置するガイド溝４４の端部（右端部）に位置した状態で、カメラ本体部用筐体１２Ａと表示部用筐体１２Ｂとが合わさり厚さ方向から見た撮像装置１０の輪郭が最も小さくなる第１の形態が形成されるように構成されている。
また、ガイドピン４８が、表示部用筐体１２Ｂの左右方向の端部寄りに位置するガイド溝４４の端部（左端部）に位置した状態で、表示部用筐体１２Ｂからカメラ本体部用筐体１２Ａの後面１２０６の箇所が露出し厚さ方向から見た撮像装置の輪郭が第１の形態よりも大きくなる第２の形態が形成されるように構成されている。
より詳細には、第２の形態は、図２に示すように、表示部用筐体１２Ｂからカメラ本体部用筐体１２Ａの後面１２０６の第１の箇所が露出する第３の形態と、図３に示すように、表示部用筐体１２Ｂからカメラ本体部用筐体１２Ａの後面１２０６の第１の箇所に加え第１の箇所と異なる第２の箇所が露出する第４の形態との２つの形態を含んでいる。
【００１７】
すなわち、ガイドピン４８の頭部４８０４の下面の係合凹部４８０６がガイド板４０の第１突起４６Ａに係合した状態で、図１に示す第１の形態となる。
また、ガイドピン４８の頭部４８０４の下面の係合凹部４８０６がガイド板４０の第２突起４６Ｂに係合した状態で、図２に示す第３の形態となる。
また、ガイドピン４８の頭部４８０４の下面の係合凹部４８０６がガイド板４０の第３突起４６Ｃに係合した状態で、図３に示す第４の形態となる。
そして、それらカメラ本体部用筐体１２Ａと表示部用筐体１２Ｂとが相対変位される際、係合凹部４８０６が第１乃至第３突起４６Ａ、４６Ｂ、４６Ｃに係合することで、第１の形態、第３の形態、第４の形態になる毎にユーザにクリック感が与えられ、かつ、それら第１の形態、第３の形態、第４の形態が係止保持されるように構成されている。
また、コイルスプリング５２が設けられていることから、カメラ本体部用筐体１２Ａと表示部用筐体１２Ｂとは、第１の形態になるように付勢されており、したがって、第１の形態から第３の形態、第４の形態になる方向にユーザにコイルスプリング５２による抵抗感が与えられ、かつ、第４の形態から第３の形態、第１の形態へと復帰する際に、コイルスプリング５２による付勢力が働き、より弱い操作力で第１の形態へ復帰できるように構成されている。
したがって、本実施の形態では、ガイドピン４８、係合凹部４８０６、突起４６Ａ乃至４６Ｃにより、第１の形態と第３の形態と第４の形態においてカメラ本体部用筐体１２Ａと表示部用筐体１２Ｂとを係止保持するクリック機構が構成されている。
また、図７に示すように、ガイド板４０には、ガイドピン４８が第１突起４６Ａに係合した状態であることを検出して位置検出信号を出力する第１近接スイッチ５４Ａと、ガイドピン４８が第２突起４６Ｂに係合した状態であることを検出して位置検出信号を出力する第２近接スイッチ５４Ｂと、ガイドピン４８が第３突起４６Ｃに係合した状態であることを検出して位置検出信号を出力する第３近接スイッチ５４Ｃとが設けられており、これら第１乃至第３近接スイッチ５４Ａ、５４Ｂ、５４Ｃによって後述する位置検出部１０１８（図１０参照）が構成されている。
【００１８】
なお、本実施の形態では、第１の形態と第３の形態との間でカメラ本体部用筐体１２Ａと表示部用筐体１２Ｂとが相対的に移動する方向と、第３の形態と第４の形態との間でカメラ本体部用筐体１２Ａと表示部用筐体１２Ｂとが相対的に移動する方向は同一の方向である。
また、本実施の形態では、第２の形態は、図２に示すように、表示部用筐体１２Ｂからカメラ本体部用筐体１２Ａの後面１２０６の第１の箇所が露出する第３の形態と、図３に示すように、表示部用筐体１２Ｂからカメラ本体部用筐体１２Ａの後面の第１の箇所に加え第１の箇所と異なる第２の箇所が露出する第４の形態との２つの形態を含んでいる。
また、本実施の形態では、第３の形態において表示部用筐体１２Ｂから露出するカメラ本体部用筐体１２Ａの後面箇所は、カメラ本体部用筐体１２Ａの後面１２０６の２つの短辺のうちの一方の短辺に沿った第１の領域であり、第４の形態において表示部用筐体１２Ｂから露出するカメラ本体部用筐体１２Ａの後面箇所は、第１の領域を含む第１の領域よりも広い面積の一方の短辺に沿った第２の領域である。
また、撮影光学系１４の光学部材１４０２は、前面１２０２の左右方向の中央よりも第２の形態において露出するカメラ本体部用筐体１２Ａの後面１２０６箇所から離れる方向に偏位した箇所に位置することになる。
【００１９】
次に、操作部材２０の配置箇所について説明する。
シャッタスイッチ２００２と電源スイッチ２１００はカメラ本体部用筐体１２Ａの上端面１２１４に設けられている。
また、動画／静止画／音楽モード切り換えスイッチ２００４はカメラ本体部用筐体１２Ａの左端面１２１０に設けられている。
図３（Ａ）に示すように、カメラ本体部用筐体１２Ａの右端面１２１２には、ヘッドホンなどの音声出力装置のプラグが装脱される音声出力用のジャック２２０８が設けられている。
【００２０】
図１（Ｂ）、図２（Ｂ）、図３（Ｂ）に示すように、ズーム操作スイッチ２００６、記録／再生切り換えスイッチ２００８、メニュースイッチ２０１０、バックキー２０１２、十字操作キー２０１４、文字入力キー２０１６は、第１の形態において表示部用筐体１２Ｂにより隠されかつ第２の形態において表示部用筐体１２Ｂから露出するカメラ本体部用筐体１２Ａの後面箇所に設けられている。
より詳細には、図１（Ｂ）、図２（Ｂ）に示すように、ズーム操作スイッチ２００６、記録／再生切り換えスイッチ２００８、メニュースイッチ２０１０、バックキー２０１２、十字操作キー２０１４は、第１の形態において表示部用筐体１２Ｂにより隠されかつ第３の形態において表示部用筐体１２Ｂから露出するカメラ本体部用筐体１２Ａの後面箇所に設けられている。
また、図２（Ｂ）、図３（Ｂ）に示すように、文字入力キー２０１６は、第３の形態において表示部用筐体１２Ｂにより隠されかつ第４の形態において表示部用筐体１２Ｂから露出するカメラ本体部用筐体１２Ａの後面箇所に設けられている。
なお、図５において符号１２４０は、表示部用筐体１２Ｂの後面１２０６において操作部材２０が配設される操作部材領域を示している。
また、図９に示すように、操作部材２０が設けられる表示部用筐体１２Ｂの後面箇所は、後面１２０６が縁部１２５０よりも僅かに窪んだ箇所を延在しており、カメラ本体部用筐体１２Ａと表示部用筐体１２Ｂが相対移動する際に、操作部材２０がカメラ本体部用筐体１２Ａの後面１２０８に干渉しないように構成されている。
【００２１】
次に、撮像装置１０の制御系の構成について説明する。
図１０は撮像装置１０の制御系の構成を示すブロック図である。
撮像装置１０は、前述した撮影光学系１４、撮像素子１６、表示パネル１８などに加えて、画像処理部１００２、表示処理部１００４、記憶媒体１００６、音声処理部１００８、マイクロフォン１０１０、通信部１０１２、外部接続コネクタ１０１４、外部装置用インターフェース１０１６、位置検出部１０１８、制御部１０２０（制御手段）などを有している。
図１０に示すように、撮影光学系１４は鏡筒１４１０に収容されており、鏡筒１４１０の後部には撮像素子１６が設けられている。
撮像素子１６は、撮影光学系１４によって結像された被写体像を撮像するＣＣＤやＣＭＯＳセンサなどで構成されている。
画像処理部１００２は、撮像素子１６から出力された撮像信号に基づいて種々の信号処理を行い画像データを生成し、また、記憶媒体１００６から読み出された画像データを処理するものである。
表示処理部１００４は、画像処理部１００２から入力される画像データを処理し表示パネル１８に表示させる他、制御部１０２０から供給される操作メニュー用の画像データや、文字データなどを表示させるものである。
記憶媒体１００６は、制御部１０２０の制御に基づいて画像処理部１００２から供給される画像データを格納するとともに、格納している画像データを画像処理部１００２に供給するものである。
また、記憶媒体１００６は、画像データの他に、制御部１０２０の制御に基づいて音声処理部１００８から供給される音声データの格納を行い、また、格納している音声データを音声処理部１００８に供給するものである。なお、前記音声データとしては、前記の音楽モードで再生される音楽ファイルも含まれている。
記憶媒体１００６は、例えば、ハードディスクドライブ、書き換え可能なフラッシュメモリなどの半導体メモリなどで構成され、本実施の形態では、筐体１２に取り出し不能に内蔵されている。なお、筐体１２にメモリカードスロットを設け、メモリカードスロットに装脱可能に設けられたメモリカードを記憶媒体として用いてもよい。
【００２２】
音声処理部１００８は、マイクロフォン１０１０から入力される音声データ、あるいは、外部装置から外部接続コネクタ１０１４、外部装置用インターフェース１０１６を介して入力される音声データを処理して記憶媒体１００６に供給し、また、記憶媒体１００６から供給される音声データを処理して音声出力用のジャック２２０８に供給し、あるいは、外部装置用インターフェース１０１６、外部接続コネクタ１０１４を介して外部装置に供給するものである。
したがって、撮像装置１０は、ボイスレコーダ（録音機）、あるいは、音楽プレイヤーとしての機能を備えている。
外部装置用インターフェース１０１６は、例えば、ＵＳＢなどのインターフェースで外部装置との間で音声データや画像データを含むデータの授受を行うものである。
【００２３】
通信部１０１２は、本実施の形態では、ブルートゥース（Ｂｌｕｅｔｏｏｔｈ）方式によって外部装置との間で無線通信を行うものである。
通信部１０１２は、前記無線通信によってパーソナルコンピュータなどの外部装置との間で音声データや画像データを含むデータの授受を行う。
また、通信部１０１２は、前記無線通信によって、モデムなどの外部装置を介してインターネットに接続することで、サーバ上に構築されているホームページやブログにアクセスし、それらホームページやブログを閲覧するとともに、ホームページやブログに対して画像データや文字データのアップロードを行うことができるように構成されている。
【００２４】
位置検出部１０１８は、カメラ本体部用筐体１２Ａと表示部用筐体１２Ｂが第１の形態、第３の形態、第４の形態の何れに位置しているかを検出し、その位置を識別する位置検出信号を制御部１０２０に供給するものである。
なお、以下では、説明の便宜上、カメラ本体部用筐体１２Ａと表示部用筐体１２Ｂが第１の形態にある場合を閉位置とし、カメラ本体部用筐体１２Ａと表示部用筐体１２Ｂが第３の形態にある場合を第１位置とし、カメラ本体部用筐体１２Ａと表示部用筐体１２Ｂが第４の形態にある場合を第２位置とする。
本実施の形態では、位置検出部１０１８は、前述した第１乃至第３近接スイッチ５４Ａ、５４Ｂ、５４Ｃで構成されている。なお、位置検出部１０１８としては、近接スイッチの他、従来公知の様々な位置検出センサが採用可能である。
制御部１０１２は、画像処理部１００２、表示処理部１００４、記憶媒体１００６、音声処理部１００８、通信部１０１２、外部装置用インターフェース１０１６、位置検出部１０１８などの制御を司るものであり、具体的には、ＣＰＵ、そのＣＰＵが実行する制御プログラムを格納したメモリなどを有するマイクロコンピュータによって構成されている。
【００２５】
次に、本実施の形態の撮像装置１０の動作について説明する。
図１１は撮像装置１０の動作フローチャートである。
まず、撮像装置１０は電源がオフされており、カメラ本体部用筐体１２Ａと表示部用筐体１２Ｂが閉位置にあるものとする。
制御部１０２０は、位置検出部１０１８からの位置検出信号に基づいてカメラ本体部用筐体１２Ａと表示部用筐体１２Ｂが閉位置にあるか否かを判定する（ステップＳ１０）。閉位置でないと判定された場合にはステップＳ１６に移行する。
閉位置にあると判定されたならば、電源スイッチ２１００がオンされたか否かを判定する（ステップＳ１２）。
電源スイッチ２１００がオフであればステップＳ１０に戻る。
電源スイッチ２１００がオンされていれば、制御部１０２０は再生モードに移行する（ステップＳ１４）。再生モードでは、制御部１０２０は、記憶媒体１００６から読み出した静止画あるいは動画の画像データを表示パネル１８に表示させるモードである。
図１２（Ａ）、（Ｂ）は再生モードにおいて表示パネル１８の表示面１８０２に画像が表示された状態を示す図である。
再生モードでは、例えば、図１２（Ａ）に示すように、表示面１８０２に複数のサムネイル画像ｇが表示され、拡大表示したいサムネイル画像ｇを選択してそのサムネイル画像に対応するタッチパネル２０２０部分を指で触れると、図１２（Ｂ）に示すように、表示面１８０２に選択されたサムネイル画像ｇが１つの拡大画像ｈとして表示される。
図１２（Ｂ）に示すように、拡大画像ｈが表示されている状態では、表示画面１８０２上に操作用のボタンが表示される。例えば、表示画面１８０２上には、操作メニューの表示画面に移行するためのメニューボタンＢ１、次の拡大表示画像を表示させるための送りボタンＢ２、前の拡大画像を表示させるための戻りボタンＢ３などが表示される。送りボタンＢ２や戻りボタンＢ３の操作によって表示される拡大画像ｈの順番は図１２（Ａ）でサムネイル画像ｇが並んでいる順番（左上から右下に向かう順番）に対応している。
また、表示画面１８０２には、電池の残量表示データｄ１、画像データのサイズを示すサイズデータｄ２、表示している画像データに付された画像番号、記録媒体１００６に記録されている画像枚数、画像データに含まれる年月日時間などの付加データｄ３などが表示される。
なお、再生する画像データが静止画であれば、拡大画像は静止画であり、再生する画像データが動画であれば、拡大画像は動画である。
【００２６】
次いで、制御部１０２０は、位置検出部１０１８からの位置検出信号に基づいてカメラ本体部用筐体１２Ａと表示部用筐体１２Ｂが第１位置、第２位置にあるか否かを判定する（ステップＳ１６）。
第１位置、第２位置の何れでもない、すなわち、閉位置であると判定されたならば、電源スイッチ２１００がオフされたか否かを判定する（ステップＳ１８）。
電源スイッチ２１００がオフされていなければ、ステップＳ１４に戻り、電源スイッチ２１００がオフされていれば、電源をオフし（ステップＳ２０）、動作を終了する。
ステップＳ１６で第１位置にあると判定されたならば、電源をオンする（ステップＳ２２）、撮影モードに移行する（ステップＳ２４）。ただし、ステップＳ２２以前において既に電源がオン状態であれば、ステップＳ２２をスキップしてステップＳ２４に移行する。
撮影モードでは、静止画あるいは動画の画像データを記録媒体１００６に記録する。
図１３は撮影モードにおいて表示パネル１８の表示面１８０２に撮影中の被写体の画像が表示された状態を示す図である。
撮影モードでは、例えば、図１３に示すように、表示面１８０２に被写体の画像ｉが表示されると同時に、電池の残量表示データｄ１、画像データのサイズを示すサイズデータｄ２、記録媒体１００６に記録した画像枚数ｄ４、ズーム位置が広角端（Ｗ）と望遠端（Ｔ）のどの位置にあるかを示すズームインジケータｄ５、マクロ撮影やスポーツモードなどの撮影モードの種類、あるいは、露出優先、シャッタースピード優先、あるいは、焦点調整の種類などを示す文字やアイコンｄ６、自動焦点調整の対象となる領域を示すマークｄ７などが表示される。
【００２７】
次いで、制御部１０２０は、電源スイッチ２１００がオフされているか否かを判定する（ステップＳ２６）。
電源スイッチ２１００がオフされていれば、ステップＳ２０に移行する。
電源スイッチ２１００がオフされていなければ、位置検出部１０１８からの位置検出信号に基づいてカメラ本体部用筐体１２Ａと表示部用筐体１２Ｂが閉位置にあるか否かを判定する（ステップＳ２８）。閉位置であると判定された場合には前記と同様の再生モードに移行し（ステップＳ３０）、ステップＳ１６に移行する。
ステップＳ２８で閉位置でないと判定された場合には、位置検出部１０１８からの位置検出信号に基づいてカメラ本体部用筐体１２Ａと表示部用筐体１２Ｂが第１位置、第２位置にあるか否かを判定する（ステップＳ３２）。
第１位置に位置していると判定された場合には、ステップＳ２４に戻る。
第２位置に位置していると判定された場合にはステップＳ４４に移行する。
【００２８】
ステップＳ１６で第２位置にあると判定されたならば、電源をオンし（ステップＳ４２）、編集モードに移行する（ステップＳ４４）。ただし、ステップＳ４２以前において既に電源がオン状態であれば、ステップＳ４２をスキップしてステップＳ４４に移行する。
編集モードでは、記録媒体１００６に記録されている静止画あるいは動画の画像データに関連するデータの入力を行う。具体的には、画像データに関連するコメントなどの文字データの入力を行う。
図１４は編集モードにおいて表示パネル１８の表示面１８０２に画像データや入力中の文字データが表示された状態を示す図である。
編集モードでは、例えば、図１４に示すように、表示面１８０２に記録媒体１００６から読み出した画像ｊが表示されると同時に、文字入力キー２０１６によって入力された文字列ｋが表示される。
文字列ｋは、例えば、画像ｊに関するコメントであり、画像ｊの画像データと共に、通信部１０１２によってインターネットのサーバ上におけるホームページやブログにアップロードされるものである。
【００２９】
次いで、制御部１０２０は、電源スイッチ２１００がオフされているか否かを判定する（ステップＳ４６）。
電源スイッチ２１００がオフされていれば、ステップＳ２０に移行する。
電源スイッチ２１００がオフされていなければ、位置検出部１０１８からの位置検出信号に基づいてカメラ本体部用筐体１２Ａと表示部用筐体１２Ｂが閉位置にあるか否かを判定する（ステップＳ４８）。閉位置であると判定された場合には再生モードに移行し（ステップＳ５０）、ステップＳ１６に移行する。
ステップＳ４８で閉位置でないと判定された場合には、位置検出部１０１８からの位置検出信号に基づいてカメラ本体部用筐体１２Ａと表示部用筐体１２Ｂが第１位置、第２位置にあるか否かを判定する（ステップＳ５２）。
第１位置に位置していると判定された場合には、ステップＳ２４に戻る。
第２位置に位置していると判定された場合にはステップＳ４４に移行する。
【００３０】
以上説明したように、本実施の形態によれば、図１（Ａ）、（Ｂ）に示すように、カメラ本体部用筐体１２Ａと表示部用筐体１２Ｂが第１の形態にある場合には、筐体１２の外形が最小となりコンパクトな状態となっており、かつ、表示部用筐体１２Ｂの後面１２０４のほぼ全域に表示パネル１８が延在した状態となっている。
したがって、筐体１２の外形がコンパクトであるにも拘わらず表示パネル１８の面積を筐体１２の後面１２０４のほぼ全域に大きく確保でき、画像を鑑賞する上で、また、画像にまつわる種々の情報を入力する際に有利となる。
また、カメラ本体部用筐体１２Ａと表示部用筐体１２Ｂが第１の形態にある場合には、カメラ本体部用筐体１２Ａの後面１２０６に設けられている操作部材２０は隠されている。
したがって、表示パネル１８に画像を表示させて鑑賞するために不要な操作部材２０部分を隠すことで誤操作を防止でき、画像を鑑賞するために最も適した形態とすることができる。
【００３１】
また、図２（Ａ）、（Ｂ）に示すように、撮像装置１０を第２の形態のうちの第３の形態にすると、表示パネル１８の側方にカメラ本体部用筐体１２Ａの後面１２０６部分が露出し、表示パネル１８の側方にズーム操作スイッチ２００６、記録／再生切り換えスイッチ２００８、メニュースイッチ２０１０、バックキー２０１２、十字操作キー２０１４が出現する。
したがって、表示パネル１８の面積を大きく確保したにも拘わらず、それら操作部材２００６、２００８、２０１０、２０１２、２０１４を筐体１２に配置でき、また、それら操作部材２００６、２００８、２０１０、２０１２、２０１４を操作するのに適した形態で配置することが可能となる。
また、撮像装置１０が第３の形態にある場合には、文字入力キー２０１６は隠されているので、撮影時に不要な文字入力キー２０１６の誤操作を防止する上で有利である。
さらに、第３の形態では、表示部用筐体１２Ｂの右側部とカメラ本体部用筐体１２Ａの左側部とを左右の手でそれぞれ把持できるので、表示パネル１８を手で覆うことなく、撮像装置１０をしっかり保持する上で有利となる。
【００３２】
また、図３（Ａ）、（Ｂ）に示すように、撮像装置１０を第２の形態のうちの第４の形態にすると、表示パネル１８の側方に、カメラ本体部用筐体１２Ａの後面１２０６に設けられている全ての操作部材２０が露出され、撮影にまつわる操作部材、すなわち、ズーム操作スイッチ２００６、記録／再生切り換えスイッチ２００８、メニュースイッチ２０１０、バックキー２０１２、十字操作キー２０１４に加えて文字入力キー２０１６が出現する。
したがって、表示パネル１８の面積を大きく確保したにも拘わらず、それら操作部材２００６、２００８、２０１０、２０１２、２０１４、２０１６を筐体１２に配置でき、また、それら操作部材２００６、２００８、２０１０、２０１２、２０１４、２０１６を操作するのに適した形態で配置することが可能となる。
第４の形態では、表示パネル１８に表示されている画像を視認しつつ、文字入力キー２０１６を用いて文字を入力するなど、編集作業を行うのに好適となる。
【００３３】
また、本実施の形態では、カメラ本体部用筐体１２Ａと表示部用筐体１２Ｂを第１の形態から第２の形態にすれば、再生モードから撮影モードあるいは編集モードに切り換わり、あるいは、カメラ本体部用筐体１２Ａと表示部用筐体１２Ｂを第２の形態から第１の形態にすれば、撮影モードあるいは編集モードから再生モードに切り換わるため、モード設定のためのスイッチ操作が不要となるため操作性を向上する上で有利である。
また、本実施の形態では、電源オフ状態においてカメラ本体部用筐体１２Ａと表示部用筐体１２Ｂを第１の形態から第２の形態にすれば、電源がオンされて撮影モードあるいは編集モードとなるので、電源スイッチ２１００の操作を行うことなく、撮影モードあるいは編集モードで撮像装置１０を使用することができるため、操作性を向上する上で有利である。
また、本実施の形態では、カメラ本体部用筐体１２Ａと表示部用筐体１２Ｂが第１の形態で再生モードにある場合には、画像の再生にまつわる操作ボタンをタッチパネル２０２０で構成したので、小型化を図りつつ操作性を確保する上で有利となる。
【００３４】
また、撮影光学系１４の光学部材１４０２は、前面１２０２の左右方向の中央よりも第２の形態において露出するカメラ本体部用筐体１２Ａの後面１２０６箇所から離れる方向に偏位して設けられているので、第２の形態において、左右方向における撮影光学系１４の光軸と、表示パネル１８の中心との位置を近接させることができる。
したがって、第２の形態において、ユーザが直接被写体を視認したときの位置と、表示パネル１８に表示されている被写体像の位置との左右方向における位置のずれを縮小でき、撮影時の使い勝手を向上させる上で有利である。
すなわち、撮影光学系１４を有する撮像装置１０であって、撮像装置１０は、前後に分割されたカメラ本体部１０Ａと表示部１０Ｂとで構成され、撮影光学系１４はカメラ本体部１０Ａに組み込まれ、撮影光学系１４は、カメラ本体部１０Ａの前面１２０２で左右幅方向の中央よりも左右幅方向の一方に偏した箇所に配置される光学部材１４０２を含んで構成され、カメラ本体部１０Ａと表示部１０Ｂとが合わさり前後方向から見た撮像装置１０の輪郭が最も小さくなる第１の形態と、表示部１０Ｂの左右幅方向の他方の端部からカメラ本体部１０Ａの箇所が露出し前後方向から見た撮像装置１０の輪郭が第１の形態よりも大きくなる第２の形態との２つの形態をなすように、カメラ本体部１０Ａの後面１２０６と表示部１０Ｂの前面１２０８がそれらの面に沿って相対的に移動できるように結合すると、第２の形態において、ユーザが直接被写体を視認したときの位置と、表示パネル１８に表示されている被写体像の位置との左右方向における位置のずれを縮小でき、撮影時の使い勝手を向上させる上で有利となる。
より詳細には、厚さと、この厚さよりも大きい寸法の左右幅と上下高さとを備え、厚さ方向の両端に前面１２０２と後面１２０４とが位置する薄板状の筐体１２と、筐体１２に組み込まれた撮影光学系１４とを備えた撮像装置１０であって、撮像装置１０は、厚さ方向に分割されたカメラ本体部１０Ａと表示部１０Ｂとで構成され、筐体１２は、カメラ本体部１０Ａの筐体を構成するカメラ本体部用筐体１２Ａと、表示部１０Ｂの筐体を構成する表示部用筐体１２Ｂとで構成され、撮影光学系１４はカメラ本体部用筐体１２Ａに組み込まれ、撮影光学系１４は、カメラ本体部用筐体１２Ａの前面１２０２で左右幅方向の中央よりも左右幅方向の一方に偏した箇所に開口する窓１２０３に配置される光学部材１４０２を含んで構成され、カメラ本体部用筐体１２Ａと表示部用筐体１２Ｂとが合わさり厚さ方向から見た撮像装置１０の輪郭が最も小さくなる第１の形態と、表示部用筐体１２Ｂの左右幅方向の他方の端部からカメラ本体部用筐体１２Ａの後面１２００６の箇所が露出し厚さ方向から見た撮像装置１０の輪郭が第１の形態よりも大きくなる第２の形態との２つの形態をなすように、カメラ本体部用筐体１２Ａの後面１２０６と表示部用筐体１２Ｂの前面１２０８がそれらの面に沿って相対的に移動できるように結合すると、第２の形態において、ユーザが直接被写体を視認したときの位置と、表示パネル１８に表示されている被写体像の位置との左右方向における位置のずれを縮小でき、撮影時の使い勝手を向上させる上で有利となる。
【００３５】
なお、本実施の形態では、再生モード時に操作する操作部材をタッチパネル２０２０で構成した場合について説明したが、再生モード時に操作する操作部材を、常時露出している筐体１２の表面、例えば、カメラ本体部用筐体１２Ａの左右端面１２１０、１２１２、上下端面１２１４、１２１６、あるいは、カメラ本体部用筐体１２Ａの前面１２０２、あるいは、表示部用筐体１２Ｂの左右端面１２２０、１２２２、上下端面１２２４、１２２６の何れかに設けてもよい。
【００３６】
（第２の実施の形態）
次に第２の実施の形態について説明する。
第２の実施の形態は第１の実施の形態の変形例であり、第２の実施の形態が第１の実施の形態と異なるのは、カメラ本体部用筐体１２Ａと表示部用筐体１２Ｂとが上下方向と相対的に移動する点であり、また、第１の形態と第２の形態との間で相対移動する点であり、第２の形態は第３の形態と第４の形態とを含んでいない。
図１５は第４の形態における撮像装置１０を後方から見た斜視図である。
図１６は第２の実施の形態の撮像装置１０の断面図、図１７は図１６のＡＡ線矢視図、図１８は図１６のＢＢ線矢視図、図１９は図１６のＣＣ線矢視図、図２０はガイド板４０の平面図である。なお、図１６は図１７のＸＸ線断面図に相当している。
なお、以下の実施の形態では、第１の実施の形態と同様の部分、部材には同一の符号を付して説明する。
【００３７】
第２の実施の形態においても第１の実施の形態と同様に、図１に示すように、カメラ本体部用筐体１２Ａと表示部用筐体１２Ｂとが合わさり厚さ方向から見た撮像装置１０の輪郭が最も小さくなる第１の形態と、図１５に示すように、表示部用筐体１２Ｂからカメラ本体部用筐体１２Ａの後面１２０６の箇所が露出し厚さ方向から見た撮像装置１０の輪郭が第１の形態よりも大きくなる第２の形態との２つの形態をなすように、カメラ本体部用筐体１２Ａの後面１２０６と表示部用筐体１２Ｂの前面１２０８がそれらの面に沿って相対的に移動できるように結合されている。
そして、第２の実施の形態では、カメラ本体部用筐体１２Ａと表示部用筐体１２Ｂとが上下方向に相対的に移動することで第１の形態と第２の形態とをとるように構成されている。
また、第２の実施の形態では、第２の形態において表示部用筐体１２Ｂから露出するカメラ本体部用筐体１２Ａの後面箇所は、カメラ本体部用筐体１２Ａの後面１２０６の一方の長辺に沿った部分である。
【００３８】
図１６、図１７に示すように、カメラ本体部用筐体１２Ａの後面１２０６の左右上下方向の中間箇所には、フレキシブル基板２６を挿通させる溝３０が形成され、また、カメラ本体部用筐体１２Ａの後面１２０６の溝３０を挟む左右両側の２箇所の内面には、ボス部３２が膨出形成され、ボス部３２にピン嵌合孔３４が形成されている。
【００３９】
一方、図１８に示すように、表示部用筐体１２Ｂの前面１２０８の左右方向の中央寄り箇所で上下方向の中間箇所には、フレキシブル基板２６を挿通させる溝３６が上下に延在形成されている。
また、表示部用筐体１２Ｂの前面１２０８の溝３６を挟む左右両側には、ピン挿通溝３８が上下に延在形成されている。
さらに、図１６、図１９、図２０に示すように、表示部用筐体１２Ｂの前面１２０８の内面に、表示部用筐体１２Ｂを構成する材料よりも強度、剛性を有する材料からなるガイド板４０が取着されている。
ガイド板４０には、溝３６およびピン挿通溝３８に対応した箇所に溝４２とガイド溝４４Ｂが形成されている。
さらに、ガイド溝４４Ｂの上下端部の左右両側に第１、第２突起４６Ａ、４６Ｂがそれぞれ形成されている。
【００４０】
図１６に示すように、カメラ本体部用筐体１２Ａと表示部用筐体１２Ｂは、それらの後面１２０６と前面１２０８とが合わされ、ガイドピン４８の軸部４８０２がガイド板４０のガイド溝４４から前面１２０８のピン挿通溝３８を通りカメラ本体部用筐体１２Ａのボス部３２のピン嵌合孔３４に嵌合され、ガイドピン４８の頭部４８０４の下面の係合凹部４８０６がガイド板４０の第１、第２突起４６Ａ、４６Ｂに係合する向きにガイドピン４８の頭部４８０４の向きが調整され、この調整後、接着剤５０によりガイドピン４８がボス部３２に固定される。
これらにより、カメラ本体部用筐体１２Ａの後面１２０６と表示部用筐体１２Ｂの前面１２０８がそれらの面に沿って相対的に移動できるように結合されている。
さらに、図１９に示すように、ガイドピン４８の頭部４８０４と表示部用筐体１２Ｂの前面１２０８との間にコイルスプリング５２が設けられ、ガイドピン４８をガイド溝４４Ｂの端部に付勢している。
【００４１】
そして、図１６、図１９に示すように、ガイドピン４８が、ガイド溝４４Ｂの上端に位置した状態で、カメラ本体部用筐体１２Ａと表示部用筐体１２Ｂとが合わさり厚さ方向から見た撮像装置１０の輪郭が最も小さくなる第１の形態が形成されるように構成されている。
また、図１５に示すように、ガイドピン４８が、ガイド溝４４Ｂの下端に位置した状態で、表示部用筐体１２Ｂからカメラ本体部用筐体１２Ａの後面１２０６の箇所が露出し厚さ方向から見た撮像装置の輪郭が第１の形態よりも大きくなる第２の形態が形成されるように構成されている。
【００４２】
すなわち、ガイドピン４８の頭部４８０４の下面の係合凹部４８０６がガイド板４０の第１突起４６Ａに係合した状態で、図１に示す第１の形態となる。
また、ガイドピン４８の頭部４８０４の下面の係合凹部４８０６がガイド板４０の第２突起４６Ｂに係合した状態で、図１５に示す第２の形態となる。
そして、それらカメラ本体部用筐体１２Ａと表示部用筐体１２Ｂとが相対変位される際、係合凹部４８０６が第１、第２突起４６Ａ、４６Ｂに係合することで、第１の形態、第２の形態になる毎にユーザにクリック感が与えられ、かつ、それら第１の形態、第２の形態が係止保持されるように構成されている。
また、コイルスプリング５２が設けられていることから、カメラ本体部用筐体１２Ａと表示部用筐体１２Ｂとは、第１の形態になるように付勢されており、したがって、第１の形態から第２の形態になる方向にユーザにコイルスプリング５２による抵抗感が与えられ、かつ、第２の形態から第１の形態へと復帰する際に、コイルスプリング５２による付勢力が働き、より弱い操作力で第１の形態へ復帰できるように構成されている。
したがって、本実施の形態では、ガイドピン４８、係合凹部４８０６、突起４６Ａ、４６Ｂにより、第１の形態と第２の形態においてカメラ本体部用筐体１２Ａと表示部用筐体１２Ｂとを係止保持するクリック機構が構成されている。
また、図１９に示すように、ガイド板４０には、ガイドピン４８が第１突起４６Ａに係合した状態であることを検出して位置検出信号を出力する第１近接スイッチ５４Ａと、ガイドピン４８が第２突起４６Ｂに係合した状態であることを検出して位置検出信号を出力する第２近接スイッチ５４Ｂとが設けられており、第１の実施の形態と同様に、これら第１、第２近接スイッチ５４Ａ、５４Ｂによって位置検出部１０１８（図１０参照）が構成されている。
【００４３】
また、第２の実施の形態では、撮影光学系１４の光学部材１４０２は、前面１２０２の上下方向の中央よりも第２の形態において露出するカメラ本体部用筐体１２Ａの後面１２０６箇所から離れる方向に偏位して設けられているので、第２の形態において、上下方向における撮影光学系１４の光軸と、表示パネル１８の中心との位置を近接させることができ、第２の形態において、ユーザが直接被写体を視認したときの位置と、表示パネル１８に表示されている被写体像の位置との上下方向における位置のずれを縮小でき、撮影時の使い勝手を向上させる上で有利である。
すなわち、撮影光学系１４を有する撮像装置１０であって、撮像装置１０１０は、前後に分割されたカメラ本体部１０Ａと表示部１０Ｂとで構成され、撮影光学系１４はカメラ本体部１０Ａに組み込まれ、撮影光学系１４は、カメラ本体部１０Ａの前面１２０２で上下方向の中央よりも上下方向の一方に偏した箇所に配置される光学部材１４０２を含んで構成され、カメラ本体部１０Ａと表示部１０Ｂとが合わさり前後方向から見た撮像装置１０の輪郭が最も小さくなる第１の形態と、表示部１０Ｂの上下方向の他方の端部からカメラ本体部１０Ａの箇所が露出し前後方向から見た撮像装置１０の輪郭が第１の形態よりも大きくなる第２の形態との２つの形態をなすように、カメラ本体部１０Ａの後面１２０６と表示部１０Ｂの前面１２０８がそれらの面に沿って相対的に移動できるように結合すると、第２の形態において、上下方向における撮影光学系１４１４の光軸と、表示パネル１８の中心との位置を近接させることができ、第２の形態において、ユーザが直接被写体を視認したときの位置と、表示パネル１８に表示されている被写体像の位置との上下方向における位置のずれを縮小でき、撮影時の使い勝手を向上させる上で有利である。
より詳細には、厚さと、この厚さよりも大きい寸法の左右幅と上下高さとを備え、厚さ方向の両端に前面１２０２と後面１２０４とが位置する薄板状の筐体１２と、筐体１２に組み込まれた撮影光学系１４とを備えた撮像装置１０であって、撮像装置１０は、厚さ方向に分割されたカメラ本体部１０Ａと表示部１０Ｂとで構成され、筐体１２は、カメラ本体部１０Ａの筐体を構成するカメラ本体部用筐体１２Ａと、表示部１０Ｂの筐体を構成する表示部用筐体１２Ｂとで構成され、撮影光学系１４はカメラ本体部用筐体１２Ａに組み込まれ、撮影光学系１４は、カメラ本体部用筐体１２Ａの前面１２０２で上下方向の中央よりも上下方向の一方に偏した箇所に開口する窓１２０３に配置される光学部材１４０２を含んで構成され、カメラ本体部用筐体１２Ａと表示部用筐体１２Ｂとが合わさり厚さ方向から見た撮像装置１０の輪郭が最も小さくなる第１の形態と、表示部用筐体１２Ｂの上下方向の他方の端部からカメラ本体部用筐体１２Ａの後面１２０６の箇所が露出し厚さ方向から見た撮像装置１０の輪郭が第１の形態よりも大きくなる第２の形態との２つの形態をなすように、カメラ本体部用筐体１２Ａの後面１２０６と表示部用筐体１２Ｂの前面１２０８がそれらの面に沿って相対的に移動できるように結合すると、第２の形態において、上下方向における撮影光学系１４の光軸と、表示パネル１８の中心との位置を近接させることができ、第２の形態において、ユーザが直接被写体を視認したときの位置と、表示パネル１８に表示されている被写体像の位置との上下方向における位置のずれを縮小でき、撮影時の使い勝手を向上させる上で有利である。
【００４４】
このような第２の実施の形態においても第１の実施の形態と同様の作用効果が奏される。
【００４５】
（第３の実施の形態）
次に、第３の実施の形態について説明する。
第３の実施の形態が第１の実施の形態と異なるのは、カメラ本体部用筐体１２Ａと表示部用筐体１２Ｂとが左右方向と上下方向の双方に相対的に移動する点である。
図２１（Ａ）は第３の実施の形態の撮像装置１０を前方から見た斜視図、（Ｂ）は撮像装置１０を後方から見た斜視図、図２２（Ａ）は第３の形態における撮像装置１０を前方から見た斜視図、（Ｂ）は第３の形態における撮像装置１０を後方から見た斜視図、図２３は第３の形態における撮像装置１０を前方から見た斜視図、図２４は第３の形態における撮像装置１０を後方から見た斜視図である。
第３の実施の形態においても第１の実施の形態と同様に、図２１に示すように、カメラ本体部用筐体１２Ａと表示部用筐体１２Ｂとが合わさり厚さ方向から見た撮像装置１０の輪郭が最も小さくなる第１の形態と、図２２乃至図２４に示すように、表示部用筐体１２Ｂからカメラ本体部用筐体１２Ａの後面１２０６の箇所が露出し厚さ方向から見た撮像装置１０の輪郭が第１の形態よりも大きくなる第２の形態との２つの形態をなすように、カメラ本体部用筐体１２Ａの後面１２０６と表示部用筐体１２Ｂの前面１２０８がそれらの面に沿って相対的に移動できるように結合されている。
そして、第３の実施の形態では、カメラ本体部用筐体１２Ａと表示部用筐体１２Ｂとが第１の形態から左右方向に相対的に移動することで第３の形態となり、カメラ本体部用筐体１２Ａと表示部用筐体１２Ｂとが第３の形態から上下方向に相対的に移動することで第４の形態となる。
すなわち、第３の実施の形態では、第１の形態と第３の形態との間でカメラ本体部用筐体１２Ａと表示部用筐体１２Ｂとが相対的に移動する方向と、第３の形態と第４の形態との間でカメラ本体部用筐体１２Ａと表示部用筐体１２Ｂとが相対的に移動する方向が互いに交差する方向となっている。
また、第３の実施の形態では、第２の形態は、図２２（Ｂ）に示すように、表示部用筐体１２Ｂからカメラ本体部用筐体１２Ａの後面１２０６の第１の箇所が露出する第３の形態と、図２４に示すように、表示部用筐体１２Ｂからカメラ本体部用筐体１２Ａの後面の第１の箇所に加え第１の箇所と異なる第２の箇所が露出する第４の形態との２つの形態を含んでいる。
また、第３の実施の形態では、第３の形態において表示部用筐体１２Ｂから露出するカメラ本体部用筐体１２Ａの後面箇所は、カメラ本体部用筐体１２Ａの後面１２０６の２つの短辺のうちの一方の短辺に沿った部分であり、第４の形態において表示部用筐体１２Ｂから露出するカメラ本体部用筐体１２Ａの後面箇所は、一方の短辺に沿った部分と２つの長辺のうちの一方の長辺に沿った部分である。
【００４６】
図２５は第３の実施の形態の撮像装置１０の断面図、図２６は図２５のＡＡ線矢視図、図２７は図２５のＢＢ線矢視図、図２８は図２５のＣＣ線矢視図、図２９はガイド板４０の平面図である。なお、図２６のＸＸ線断面図が図２５に相当している。
図２５、図２６に示すように、カメラ本体部用筐体１２Ａの後面１２０６の左右上下方向の中間箇所には、フレキシブル基板２６を挿通させる溝３０が形成され、また、カメラ本体部用筐体１２Ａの後面１２０６の溝３０を挟む左右両側で上下方向に間隔をおいた２箇所の内面には、ボス部３２が膨出形成され、ボス部３２にピン嵌合孔３４が形成されている。
【００４７】
一方、図２７に示すように、表示部用筐体１２Ｂの前面１２０８の左右方向の中央寄り箇所で上下方向の中間箇所には、フレキシブル基板２６を挿通させる溝３６が左右に延在形成されている。
また、表示部用筐体１２Ｂの前面１２０８の溝３６を挟む左右両側で上下方向に間隔をおいた２箇所には、ピン挿通溝３８が形成されている。
ピン挿通溝３８は、左右方向に延在する横溝部３８０２と、横溝部３８０２の左端部に接続され横溝部３８０２と直交して下方に延在する縦溝部３８０４とで構成されている。
さらに、図２８、図２９に示すように、表示部用筐体１２Ｂの前面１２０８の内面に、表示部用筐体１２Ｂを構成する材料よりも強度、剛性を有する材料からなるガイド板４０が取着されている。
ガイド板４０には、溝３６およびピン挿通溝３８に対応した箇所に溝４２とガイド溝４４Ｃが形成されている。
すなわち、ガイド溝４４Ｃは、横溝部３８０２に対応して左右方向に延在する横溝部４４０２と、横溝部３８０２に対応して横溝部４４０２の左端部に接続され横溝部４４０２と直交して下方に延在する縦溝部４４０４とで構成されている。
さらに、ガイド溝４４Ｃの延在方向に間隔をおいて第１乃至第３突起４６Ａ、４６Ｂ、４６Ｃがそれぞれ形成されている。
すなわち、横溝部４４０２の右端部の上下部に第１突起４６Ａが形成され、横溝部４４０２の左端部の上下部に第２突起４６Ｂが形成され、縦溝部４４０４の下端部の左右両側に第３突起４６Ｃが形成されている。
【００４８】
図２５に示すように、カメラ本体部用筐体１２Ａと表示部用筐体１２Ｂは、それらの後面１２０６と前面１２０８とが合わされ、ガイドピン４８の軸部４８０２がガイド板４０のガイド溝４４から前面１２０８のピン挿通溝３８を通りカメラ本体部用筐体１２Ａのボス部３２のピン嵌合孔３４に嵌合され、ガイドピン４８の頭部４８０４の下面の係合凹部４８０６がガイド板４０の第１乃至第３突起４６Ａ、４６Ｂ、４６Ｃに係合する向きにガイドピン４８の頭部４８０４の向きが調整され、この調整後、接着剤５０によりガイドピン４８がボス部３２に固定される。
これらにより、カメラ本体部用筐体１２Ａの後面１２０６と表示部用筐体１２Ｂの前面１２０８がそれらの面に沿って相対的に移動できるように結合されている。
さらに、図２８に示すように、ガイドピン４８の頭部４８０４と表示部用筐体１２Ｂの前面１２０８との間にコイルスプリング５２が設けられ、ガイドピン４８をガイド溝４４Ｃの端部（横溝部４４０２の右端部）に付勢している。
【００４９】
そして、図２８に示すように、ガイドピン４８が、横溝部４４０２の右端部に位置した状態で、カメラ本体部用筐体１２Ａと表示部用筐体１２Ｂとが合わさり厚さ方向から見た撮像装置１０の輪郭が最も小さくなる第１の形態が形成されるように構成されている。
また、ガイドピン４８が、横溝部４４０２の左端部、または、縦溝部４４０４の下端部に位置した状態で、表示部用筐体１２Ｂからカメラ本体部用筐体１２Ａの後面１２０６の箇所が露出し厚さ方向から見た撮像装置の輪郭が第１の形態よりも大きくなる第２の形態が形成されるように構成されている。
より詳細には、第２の形態は、図２２に示すように、表示部用筐体１２Ｂからカメラ本体部用筐体１２Ａの後面１２０６の第１の箇所が露出する第３の形態と、図２３、図２４に示すように、表示部用筐体１２Ｂからカメラ本体部用筐体１２Ａの後面１２０６の第１の箇所に加え第１の箇所と異なる第２の箇所が露出する第４の形態との２つの形態を含んでいる。
【００５０】
すなわち、ガイドピン４８の頭部４８０４の下面の係合凹部４８０６がガイド板４０の第１突起４６Ａに係合した状態で、図２１に示す第１の形態となる。
また、ガイドピン４８の頭部４８０４の下面の係合凹部４８０６がガイド板４０の第２突起４６Ｂに係合した状態で、図２２に示す第３の形態となる。
また、ガイドピン４８の頭部４８０４の下面の係合凹部４８０６がガイド板４０の第３突起４６Ｃに係合した状態で、図２３、図２４に示す第４の形態となる。
そして、それらカメラ本体部用筐体１２Ａと表示部用筐体１２Ｂとが相対変位される際、係合凹部４８０６が第１乃至第３突起４６Ａ、４６Ｂ、４６Ｃに係合することで、第１の形態、第３の形態、第４の形態になる毎にユーザにクリック感が与えられ、かつ、それら第１の形態、第３の形態、第４の形態が係止保持されるように構成されている。
また、コイルスプリング５２が設けられていることから、カメラ本体部用筐体１２Ａと表示部用筐体１２Ｂとは、第１の形態になるように付勢されており、したがって、第１の形態から第３の形態、第４の形態になる方向にユーザにコイルスプリング５２による抵抗感が与えられ、かつ、第４の形態から第３の形態、第１の形態へと復帰する際に、コイルスプリング５２による付勢力が働き、より弱い操作力で第１の形態へ復帰できるように構成されている。
したがって、本実施の形態では、ガイドピン４８、係合凹部４８０６、突起４６Ａ乃至４６Ｃにより、第１の形態と第３の形態と第４の形態においてカメラ本体部用筐体１２Ａと表示部用筐体１２Ｂとを係止保持するクリック機構が構成されている。
また、図２８に示すように、ガイド板４０には、ガイドピン４８が第１突起４６Ａに係合した状態であることを検出して位置検出信号を出力する第１近接スイッチ５４Ａと、ガイドピン４８が第２突起４６Ｂに係合した状態であることを検出して位置検出信号を出力する第２近接スイッチ５４Ｂと、ガイドピン４８が第３突起４６Ｃに係合した状態であることを検出して位置検出信号を出力する第３近接スイッチ５４Ｃとが設けられており、第１の実施の形態と同様に、これら第１乃至第３近接スイッチ５４Ａ、５４Ｂ、５４Ｃによって位置検出部１０１８（図１０参照）が構成されている。
【００５１】
また、第３の実施の形態においても、撮影光学系１４の光学部材１４０２は、前面１２０２の中央よりも第２の形態において露出するカメラ本体部用筐体１２Ａの後面１２０６箇所から離れる方向に偏位して設けられているので、第２の形態において、撮影光学系１４の光軸と、表示パネル１８の中心との位置を近接させることができ、第２の形態において、ユーザが直接被写体を視認したときの位置と、表示パネル１８に表示されている被写体像の位置との上下および左右方向における位置のずれを縮小でき、撮影時の使い勝手を向上させる上で有利である。
【００５２】
このような第３の実施の形態においても第１の実施の形態と同様の作用効果が奏される。
なお、第３の実施の形態では、第４の形態において表示部用筐体１２Ｂから露出するカメラ本体部用筐体１２Ａの後面箇所が、カメラ本体部用筐体１２Ａの後面１２０６の２つの短辺のうちの一方の短辺に沿った部分と２つの長辺のうちの一方の長辺に沿った部分との２箇所となるため、第２の実施の形態に比較して、操作部材２０のレイアウトの自由度を確保でき有利となる。
【００５３】
（第４の実施の形態）
次に第４の実施の形態について説明する。
第４の実施の形態は第３の実施の形態の変形例であり、第４の実施の形態が第１の実施の形態と異なるのは、カメラ本体部用筐体１２Ａと表示部用筐体１２Ｂとが、カメラ本体部用筐体１２Ａと表示部用筐体１２Ｂの短辺および長辺に対して斜め方向に相対的に移動する点であり、また、第１の形態と第２の形態との間で相対移動する点であり、第２の形態は第３の形態と第４の形態とを含んでいない。
説明の便宜上、図２１、図２３、図２４を流用して説明する。
第４の実施の形態においても第１の実施の形態と同様に、図２１に示すように、カメラ本体部用筐体１２Ａと表示部用筐体１２Ｂとが合わさり厚さ方向から見た撮像装置１０の輪郭が最も小さくなる第１の形態と、図２３および図２４に示すように、表示部用筐体１２Ｂからカメラ本体部用筐体１２Ａの後面１２０６の箇所が露出し厚さ方向から見た撮像装置１０の輪郭が第１の形態よりも大きくなる第２の形態との２つの形態をなすように、カメラ本体部用筐体１２Ａの後面１２０６と表示部用筐体１２Ｂの前面１２０８がそれらの面に沿って相対的に移動できるように結合されている。
そして、第４の実施の形態では、カメラ本体部用筐体１２Ａと表示部用筐体１２Ｂとが第１の形態からカメラ本体部用筐体１２Ａと表示部用筐体１２Ｂの短辺および長辺に対して斜め方向に相対的に移動することで第２の形態となる。
また、第３の実施の形態では、第２の形態において表示部用筐体１２Ｂから露出するカメラ本体部用筐体１２Ａの後面箇所は、カメラ本体部用筐体１２Ａの後面１２０６の２つの短辺のうちの一方の短辺に沿った部分と２つの長辺のうちの一方の長辺に沿った部分である。
【００５４】
図３０は第４の実施の形態の撮像装置１０の断面図、図３１は図３０のＡＡ線矢視図、図３２は図３０のＢＢ線矢視図、図３３は図３０のＣＣ線矢視図、図３４はガイド板４０の平面図である。なお、図３１のＸＸ線断面図が図３０に相当している。
図３０、図３１に示すように、カメラ本体部用筐体１２Ａの後面１２０６の左右上下方向の中間箇所には、フレキシブル基板２６を挿通させる溝３０が形成され、また、カメラ本体部用筐体１２Ａの後面１２０６の溝３０を挟む左右両側で上下方向に間隔をおいた２箇所の内面には、ボス部３２が膨出形成され、ボス部３２にピン嵌合孔３４が形成されている。
【００５５】
一方、図３２に示すように、表示部用筐体１２Ｂの前面１２０８の左右中央の左側で上下方向の中間箇所には、フレキシブル基板２６を挿通させる溝３６が表示部用筐体１２Ｂの前面１２０８の短辺および長辺に対して斜め方向に延在形成されている。
また、表示部用筐体１２Ｂの前面１２０８の溝３６を挟む左右両側で上下方向に間隔をおいた２箇所には、ピン挿通溝３８が表示部用筐体１２Ｂの短辺および長辺に対して斜め方向に延在形成されている。
さらに、図３３、図３４に示すように、表示部用筐体１２Ｂの前面１２０８の内面に、表示部用筐体１２Ｂを構成する材料よりも強度、剛性を有する材料からなるガイド板４０が取着されている。
ガイド板４０には、溝３６およびピン挿通溝３８に対応した箇所に溝４２とガイド溝４４Ｄが形成されている。
すなわち、ガイド溝４４Ｄは、カメラ本体部用筐体１２Ａの前面１２０８の短辺および長辺に対して斜め方向に延在形成されている。
さらに、ガイド溝４４Ｄの延在方向の両端の上下両側には第１突起４６Ａ、第２突起４６Ｂがそれぞれ形成されている。
【００５６】
図３０に示すように、カメラ本体部用筐体１２Ａと表示部用筐体１２Ｂは、それらの後面１２０６と前面１２０８とが合わされ、ガイドピン４８の軸部４８０２がガイド板４０のガイド溝４４から前面１２０８のピン挿通溝３８を通りカメラ本体部用筐体１２Ａのボス部３２のピン嵌合孔３４に嵌合され、ガイドピン４８の頭部４８０４の下面の係合凹部４８０６がガイド板４０の第１、第２突起４６Ａ、４６Ｂに係合する向きにガイドピン４８の頭部４８０４の向きが調整され、この調整後、接着剤５０によりガイドピン４８がボス部３２に固定される。
これらにより、カメラ本体部用筐体１２Ａの後面１２０６と表示部用筐体１２Ｂの前面１２０８がそれらの面に沿って相対的に移動できるように結合されている。
さらに、図３３に示すように、ガイドピン４８の頭部４８０４と表示部用筐体１２Ｂの前面１２０８との間にコイルスプリング５２が設けられ、ガイドピン４８をガイド溝４４Ｄの右端部に付勢している。
【００５７】
そして、図３３に示すように、ガイドピン４８が、ガイド溝４４Ｄの右端部に位置した状態で、図２１に示すように、カメラ本体部用筐体１２Ａと表示部用筐体１２Ｂとが合わさり厚さ方向から見た撮像装置１０の輪郭が最も小さくなる第１の形態が形成されるように構成されている。
また、ガイドピン４８が、ガイド溝４４Ｄの左端部に位置した状態で、図２３、図２４に示すように、表示部用筐体１２Ｂからカメラ本体部用筐体１２Ａの後面１２０６の箇所が露出し厚さ方向から見た撮像装置の輪郭が第１の形態よりも大きくなる第２の形態が形成されるように構成されている。
【００５８】
すなわち、ガイドピン４８の頭部４８０４の下面の係合凹部４８０６がガイド板４０の第１突起４６Ａに係合した状態で、図２１に示す第１の形態となる。
また、ガイドピン４８の頭部４８０４の下面の係合凹部４８０６がガイド板４０の第２突起４６Ｂに係合した状態で図２３、図２４に示す第２の形態となる。
そして、それらカメラ本体部用筐体１２Ａと表示部用筐体１２Ｂとが相対変位される際、係合凹部４８０６が第１、第２突起４６Ａ、４６Ｂに係合することで、第１の形態、第２の形態になる毎にユーザにクリック感が与えられ、かつ、それら第１の形態、第２の形態が係止保持されるように構成されている。
また、コイルスプリング５２が設けられていることから、カメラ本体部用筐体１２Ａと表示部用筐体１２Ｂとは、第１の形態になるように付勢されており、したがって、第１の形態から第２の形態になる方向にユーザにコイルスプリング５２による抵抗感が与えられ、かつ、第２の形態から第１の形態へと復帰する際に、コイルスプリング５２による付勢力が働き、より弱い操作力で第１の形態へ復帰できるように構成されている。
したがって、本実施の形態では、ガイドピン４８、係合凹部４８０６、突起４６Ａ、４６Ｂにより、第１の形態と第２の形態においてカメラ本体部用筐体１２Ａと表示部用筐体１２Ｂとを係止保持するクリック機構が構成されている。
また、図３３に示すように、ガイド板４０には、ガイドピン４８が第１突起４６Ａに係合した状態であることを検出して位置検出信号を出力する第１近接スイッチ５４Ａと、ガイドピン４８が第２突起４６Ｂに係合した状態であることを検出して位置検出信号を出力する第２近接スイッチ５４Ｂとが設けられており、第１の実施の形態と同様に、これら第１、第２近接スイッチ５４Ａ、５４Ｂによって位置検出部１０１８（図１０参照）が構成されている。
【００５９】
また、第４の実施の形態においても第３の実施の形態と同様に、撮影光学系１４の光学部材１４０２は、前面１２０２の中央よりも第２の形態において露出するカメラ本体部用筐体１２Ａの後面１２０６箇所から離れる方向に偏位して設けられているので、第２の形態において、撮影光学系１４の光軸と、表示パネル１８の中心との位置を近接させることができ、第２の形態において、ユーザが直接被写体を視認したときの位置と、表示パネル１８に表示されている被写体像の位置との上下および左右方向における位置のずれを縮小でき、撮影時の使い勝手を向上させる上で有利である。
【００６０】
このような第４の実施の形態においても第１の実施の形態と同様の作用効果が奏される。
【００６１】
なお、実施の形態では、撮像装置１０がデジタルスチルカメラである場合について説明したが、本発明は、例えば、ビデオカメラなどの種々の撮像装置、あるいは、携帯電話機、ＰＤＡ、ノート型パーソナルコンピュータ、音楽プレーヤーなどの携帯情報端末に広く適用可能である。
【図面の簡単な説明】
【００６２】
【図１】（Ａ）は第１の実施の形態の撮像装置１０を前方から見た斜視図、（Ｂ）は撮像装置１０を後方から見た斜視図である。
【図２】（Ａ）は第３の形態における撮像装置１０を前方から見た斜視図、（Ｂ）は第３の形態における撮像装置１０を後方から見た斜視図である。
【図３】（Ａ）は第４の形態における撮像装置１０を前方から見た斜視図、（Ｂ）は第４の形態における撮像装置１０を後方から見た斜視図である。
【図４】撮像装置１０の断面図である。
【図５】図４のＡＡ線矢視図である。
【図６】図４のＢＢ線矢視図である。
【図７】図４のＣＣ線矢視図である。
【図８】ガイド板４０の平面図である。
【図９】図２（Ｂ）のＡ矢視図である。
【図１０】撮像装置１０の制御系の構成を示すブロック図である。
【図１１】撮像装置１０の動作フローチャートである。
【図１２】（Ａ）、（Ｂ）は再生モードにおいて表示パネル１８の表示面１８０２に画像が表示された状態を示す図である。
【図１３】撮影モードにおいて表示パネル１８の表示面１８０２に撮影中の被写体の画像が表示された状態を示す図である。
【図１４】編集モードにおいて表示パネル１８の表示面１８０２に画像データや入力中の文字データが表示された状態を示す図である。
【図１５】第４の形態における撮像装置１０を後方から見た斜視図である。
【図１６】第２の実施の形態の撮像装置１０の断面図である。
【図１７】図１６のＡＡ線矢視図である。
【図１８】図１６のＢＢ線矢視図である。
【図１９】図１６のＣＣ線矢視図である。
【図２０】ガイド板４０の平面図である。
【図２１】（Ａ）は第３の実施の形態の撮像装置１０を前方から見た斜視図、（Ｂ）は撮像装置１０を後方から見た斜視図である。
【図２２】（Ａ）は第３の形態における撮像装置１０を前方から見た斜視図、（Ｂ）は第３の形態における撮像装置１０を後方から見た斜視図である。
【図２３】第３の形態における撮像装置１０を前方から見た斜視図である。
【図２４】第３の形態における撮像装置１０を後方から見た斜視図である。
【図２５】第３の実施の形態の撮像装置１０の断面図である。
【図２６】図２５のＡＡ線矢視図である。
【図２７】図２５のＢＢ線矢視図である。
【図２８】図２５のＣＣ線矢視図である。
【図２９】ガイド板４０の平面図である。
【図３０】第４の実施の形態の撮像装置１０の断面図である。
【図３１】図３０のＡＡ線矢視図である。
【図３２】図３０のＢＢ線矢視図である。
【図３３】図３０のＣＣ線矢視図である。
【図３４】ガイド板４０の平面図である。
【符号の説明】
【００６３】
１０……撮像装置、１０Ａ……カメラ本体部、１０Ｂ……表示部、１２……筐体、１２Ａ……カメラ本体部用筐体、１２Ｂ……表示部用筐体、１２０２……筐体の前面、１２０４……筐体の後面、１２０６……カメラ本体部用筐体の後面、１２０８……表示部用筐体の前面、１４……撮影光学系、１６……撮像素子、１８……表示パネル、２０……操作部材、１２３０……上下の辺、１２３２……左右の辺。
【図１】
2007158799.tif 000003
【図２】
2007158799.tif 000004
【図３】
2007158799.tif 000005
【図４】
2007158799.tif 000006
【図５】
2007158799.tif 000007
【図６】
2007158799.tif 000008
【図７】
2007158799.tif 000009
【図８】
2007158799.tif 000010
【図９】
2007158799.tif 000011
【図１０】
2007158799.tif 000012
【図１１】
2007158799.tif 000013
【図１２】
2007158799.tif 000014
【図１３】
2007158799.tif 000015
【図１４】
2007158799.tif 000016
【図１５】
2007158799.tif 000017
【図１６】
2007158799.tif 000018
【図１７】
2007158799.tif 000019
【図１８】
2007158799.tif 000020
【図１９】
2007158799.tif 000021
【図２０】
2007158799.tif 000022
【図２１】
2007158799.tif 000023
【図２２】
2007158799.tif 000024
【図２３】
2007158799.tif 000025
【図２４】
2007158799.tif 000026
【図２５】
2007158799.tif 000027
【図２６】
2007158799.tif 000028
【図２７】
2007158799.tif 000029
【図２８】
2007158799.tif 000030
【図２９】
2007158799.tif 000031
【図３０】
2007158799.tif 000032
【図３１】
2007158799.tif 000033
【図３２】
2007158799.tif 000034
【図３３】
2007158799.tif 000035
【図３４】
2007158799.tif 000036